(57)【要約】【課題】  従来のシーツとしての機能を保持しつつ、シーツに介護の体位変換、移動、保護、被覆、脱臭等の多機能を付加する。【解決手段】  長方形のシーツの上辺に身体を支える幅を有し、シーツの両側辺から所定の幅を有する短冊状の切片となるように切れ目を上下方向に設け、更に、上辺の中央部には頭部を迂回するための短い切れ目を上下方向に設けるとともに、シーツの下辺にも身体を支える幅を有してシーツの両側辺から所定の幅を有する短冊状の切片となるように切れ目を上下方向に設け、寝具のシーツ、衣類、及び、搬送用具として用いることができる介護用多機能シーツ。【選択図】図１
2008017950.tif 000002
【特許請求の範囲】
【請求項１】
長方形のシーツの上辺に身体を支える幅を有し、シーツの両側辺から所定の幅を有する短冊状の切片となるように切れ目を上下方向に設け、更に、上辺の中央部には頭部を迂回するための短い切れ目を上下方向に設けるとともに、
シーツの下辺にも身体を支える幅を有してシーツの両側辺から所定の幅を有する短冊状の切片となるように切れ目を上下方向に設け、
寝具のシーツ、衣類、及び、搬送用具として用いることができることを特徴とする介護用多機能シーツ。
【請求項２】
請求項１の介護用多機能シーツにおいて、シーツの上側の両隅の短冊状の切片に、腕通し孔の切れ目を設け、下側の両隅の切片に、足通し孔の切れ目を設けたことを特徴とした請求項１に記載の介護用多機能シーツ。
【請求項３】
請求項１の介護用多機能シーツにおいて、シーツの上側の隅の短冊状の切片の末端、及び、下側の両隅の切片の端末に上下方向の切れ目を設けて、一対の細短冊状の結び片を設けたことを特徴とした請求項１に記載の介護用多機能シーツ。
【請求項４】
請求項１乃至請求項３の介護用多機能シーツにおいて、各切れ目の末端部には一対の結び紐を設けたことを特徴とした請求項１乃至請求項３に記載の介護用多機能シーツ。
【請求項５】
請求項１の介護用多機能シーツにおいて、前記シーツの素材は消臭機能を有する繊維を織り込んだことを特徴とした請求項１に記載の介護用多機能シーツ。
【発明の詳細な説明】
【技術分野】
【０００１】
この発明は、介護施設や病院等の介護用多機能シーツに関するものである。
【背景技術】
【０００２】
従来のシーツ、特に、介護施設や病院等のシーツは、敷布団やマットの汚れを防止する目的でそれぞれをカバーするように上に敷くものであって一枚の織布、或いは、不織布にすぎなかった。
介護施設や病院等の介護用シーツも提案されているが、特許文献１や特許文献２に開示されているように、シーツ本体とは別に、シーツの両側に把手を取り付けるもので、把手が煩雑になり整理しずらく、把手の取付も強固でなくてはならず、加工の手間もやっかいなものであった。
【特許文献１】実用新案登録第３０５３６５２号公報
【特許文献２】実公平７−１０７４５号公報
【発明の開示】
【発明が解決しようとする課題】
【０００３】
病院や介護施設では、寝たきり状態やベッド上での生活を余儀なくされている被介護者は体の自由が効かず束縛された状態であり、一日の生活の殆どを介護者の介護に委ねている現状にある。このような状況の中で、体を動かすことが制約される為に局所の血流が悪くなり、褥瘡に罹患する危険性が高い為に介護者が被介護者の体位を一定時間の間隔で変換することが義務づけられている。
【０００４】
施設の人員不足も重なり一人で自由の効かない介護者の体位を変換することは介護者に肉体的にも時間的にも多大の負担をかけることになる。又、寝たきり状態及びそれに近い状態の被介護者はトイレにいく事もできず、簡易トイレの使用が難しい状態であるために常に紙オムツをしている。この紙オムツの取り替えや下着の着替えも介護者一人では厳しい状況にある。オムツ交換時にシーツや下着を汚物で汚すことも多く、介護臭として違和感が残る。最近、地震や台風、洪水といった天災や火事、事故といった人災による危険性が高く、緊急非難時の訓練も盛んに実施されているが、寝たきりの介護者やそれに近い運動機能を奪われた被介護者の避難には２名以上の救急の介護者が必要であり、その避難にも多大の労力と時間が必要であり、被介護者の犠牲が伴う危険性が大であるのが現実である。
【０００５】
そこで、本発明の発明者は、従来のシーツをカットしたり、重ねたり、折り畳んだりして如何なる機能性と特徴を付加できるか実際に検討を重ねた。そして詳細に現状の介護の状況を入念に観察し、現実の問題点を検討していくうちにシーツ自体をカットして把手機能を付加することによって、引く、上げる、傾ける、動かす、縛る、固定する等の機能性を付加する事を究明することができた。そして、カット（分割）することでシーツに種々の機能性を付加できることを究明できた発明者は、シーツの如何なる場所に如何なるカットをどの程度に設定すれば良いかの結論に至った。
この発明が解決しようとする課題は、従来のシーツとしての機能（汚れ防止）を保持しつつ、シーツに介護の機能性（体位変換、移動、保護、被覆、脱臭等）を付加する為にシーツに如何なる加工を施せば良いかという点にある。
【課題を解決するための手段】
【０００６】
上記の課題を解決するために、請求項１の発明は、長方形のシーツの上縁に身体を支える幅を有してシーツの側部から所定の幅を有する短冊状の切片となるように切れ目を上下方向に設け、更に、上縁の中央部には頭部を迂回するように短い切れ目を上下方向に設けるとともに、シーツの下端にも身体を支える幅を有してシーツの側部から所定の幅を有する短冊状の切片となるように切れ目を上下方向に設け、寝具のシーツ、衣類、及び、搬送用具として用いることができることを特徴とする介護用多機能シーツである。
請求項２の発明は、請求項１の介護用多機能シーツにおいて、シーツの上側の両隅の短冊状の切片に、腕通し孔の切れ目を設け、下側の両隅の切片に、足通し孔の切れ目を設けたことを特徴とした請求項１に記載の介護用多機能シーツである。
請求項３の発明は、請求項１の介護用多機能シーツにおいて、シーツの上側の隅の短冊状の切片の末端、及び、下側の両隅の切片の端末に上下方向の切れ目を設けて、一対の細短冊状の結び片を設けたことを特徴とした請求項１に記載の介護用多機能シーツである。
請求項４の発明は、請求項１乃至請求項３の介護用多機能シーツにおいて、各切れ目の末端部には一対の結び紐を設けたことを特徴とした請求項１乃至請求項３に記載の介護用多機能シーツ。
請求項５の発明は、請求項１の介護用多機能シーツにおいて、前記シーツの素材は消臭機能を有する繊維を織り込んだことを特徴とした請求項１に記載の介護用多機能シーツである。
【発明の効果】
【０００７】
本発明の介護用多機能シーツは、通常の長方形のシーツとして使用できることは勿論のこと、被介護者の体位の変換、移動及び下着やオムツの交換を容易にし、又緊急非難時の被介護者をおんぶして単独で搬送することができ、更に夏場の装着が簡単な簡易タオルケットとして利用することができる。
また、加工のシーツ地は、長方形の織地やタオルのような編地でよく、長方形のシーツ地に切り目をいれるだけなので、無駄な半端地がでず、且つ、加工も簡単である。
更に、寝たきりの被介護者の体臭、排便・排尿によるオムツ臭を消臭し、介護者の介護を容易にするとともに介護環境を衛生的に保持することができる。
【発明を実施するための最良の形態】
【０００８】
発明者は、シーツに介護をする上での機能性（体位変換、移動、保護、被覆、脱臭等）を持たせるには、どのような加工を施せば良いかという点について、色々と考察し、試作を重ねた。そして、従来のシーツの縦方向に添って一定の長さのカットを数本入れてみた。短冊状にカットした中心線より右側の一片を持って中央に向けてゆっくり引くと体の右上半身を浮かすことができた。同じようにして中心線より左側の一片を持って中央に向けて引くと体の左上半身を浮かすことができた。この一片をベッドの柵に固定すると上半身を浮かした状態を保持することができた。更に固定の位置（一片の長さ）を調節することによって上半身の浮かす程度を調節することができた。同じ事が下半身の状態についても確認できた。
この発明者は、この事実を基にして更に研究を重ねた結果、この発明を完成させることができた。以下、実施例について説明する。
【実施例１】
【０００９】
先ず、介護用多機能シーツの実施例１について、先ず、図１から図４に沿って説明する。
本発明に係る介護用多機能シーツの実施例１は、長方形のシーツ上縁（頭部が位置する）に縦方向に一定の幅と長さを有するように３個所カットし、更にシーツ下部（足が位置する）の縦方向に一定の幅と長さを有するように２個所カットしたものである。
この実施例１の介護用多機能シーツは、図１に示すように、上辺Ａ，底辺Ｂ、左側辺Ｃ、右側辺Ｄからなる長方形で、上辺Ａ側に頭を置き、下辺Ｂ側に両足を置く大きさである。
シーツ(敷布)上に被介護者を仰向けに寝かせた状態において、シーツの上辺Ａに脇の位置まで切れ目１,３を上下方向に設け、シーツの両側辺Ｃ,Ｄから所定の幅Ｘ1を有する短冊状の切片ａ,ｄとなるようにしており、この両切れ目１,３の相互の幅は被介護者の身体の胴部を支える幅を有しており、上辺Ａの中央部には頭部を迂回するように首の位置まで短い切れ目２を上下方向に設ける。
また、底辺Ｂにも、腰の位置まで切れ目４,５を上下方向に設け、この両切れ目４,５の相互の幅は被介護者の身体の臀部を支える幅を有し、シーツの両側辺Ｃ,Ｄから所定の幅Ｘ2を有する短冊状の切片ｅ,ｇとなるように切れ目を上下方向に設けている。
【００１０】
[シーツとしての使用例]
この実施例１の介護用多機能シーツを、布団やベッド等の寝具のシーツとして使用する場合を説明する。
実施例１は、切れ目１〜５を設けたシーツであるから、通常の長方形のシーツとして使用できることは勿論のこと、図２に示すように、切片ａを被介護者の右腋の下から右腕との間に通して中央（胸の位置）に向かって引くと右肩から右上半身を浮かすことができ、同様に、切片ｄを利用して被介護者の左肩から左上半身を浮かすことができる。
下半身においても、 切片ｅをそのまま左側に引っ張って、切片e'の端をベッドの柵に結び付け、同様に、切片ｇもそのまま右側に引っ張って、切片ｇ'の端をベッドの柵に結びけて、被介護者の下半身を浮かすことができる。
また、図２に示すように、実施例１での下半身に対する別の使用例として、切片ｅを被介護者の右太股の下を通して 裏側切片ｅ'を左に引くと右足を開脚させることができ、同じようにして切片ｇを使って被介護者の左足を開脚させることができる。
そして、各切片a',d',e',g'の端をベッドの柵に結びつけることによって一定の体位を保持させることができ、切片の端の長さを調節することによって、その保持の程度を調節できる。
したがって、以上の切片ａ，ｄ，ｅ，ｇを利用して被介護者の体位変換を容易にし、褥瘡を予防することが可能と（図２）なる。更には、切片ａ，ｄ，ｅ，ｇを布団或いはマット等の敷物の下に敷き込むことによってシート自体の体動による動きを緩め、固定を安定化させる作用も有する。
【００１１】
[搬送としての使用例]
このように、通常は介護ベッドのシーツとして用いることができるが、次に説明するように、短冊状の切片ａ，ｄ，ｅ，ｇは左右上下を把手として用いて被介護者をおんぶして搬送することができる搬送用具の場合を説明する。
実施例１の介護用多機能シーツを搬送する場合の使用例は、図３に示すように、切片ｂを被介護者の右肩に、切片ｃを左肩に掛け、切片ｆを被介護者の股をカバーするように腹部に置いたのち、切片ａ'とｄ'を手前に引いて被介護者を起こし、介護者の背中に被介護者を乗せたのち切片ａとｄを介護者の胸の位置で結び固定する。次に切片ｅとｇを介護者の腹部に回して両辺ｅ',ｇ'を結び固定すると介護者が被介護者を背負って短時間に最小限の労力で移動や緊急避難が可能となる。
【００１２】
[衣類としての使用例]
次に、実施例１の介護用多機能シーツを簡易タオルケット等の介護用衣類として使用することもできる。図４に示すように、介護用衣類としての使用例は、切片ｂを被介護者の右肩に、切片ｃを左肩にそれぞれ掛け、その後に、切片ａを脇の下から胸へ、切片ｄを脇の下から胸へ回して切片ａ'と切片ｄ’を胸上で重ねて結んで固定する。同様に、切片ｆを股をカバーするように腹部に置き、次に、シーツの左辺中央部ｈと右辺中央部ｉを中心部に向かって被介護者の腹部で折り重ね、最後に、切片ｅ'とｇ'を腹部で重ねて結んで固定する。
このようにして、実施例１の介護用多機能シーツは、そのまま簡易な上下一体型の介護用衣類となり、介護者の衣類（肌着）の着せ替えを極めて簡略化することが可能となり介護の手間が省ける。
【００１３】
本発明の介護用多機能シーツの素材は、上記の各使用例で説明したように、介護の機能性の内、体位変換、移動等には引く、上げる、下げる、縛る、固定する等の物理的な応力がかかるために、その力に耐えるタオル地或いはそれに近い厚さと強度と繊維構成を有するものが好ましい。また、各切辺ａ,ｄ,ｅ,ｇの幅X1,X2も被介護者の体重を支えることができる幅にする必要があり、シーツの各辺や切れ目も裂けないように、かがり縫い等(図１の点線部)を施しておくことが望ましいが、強度が保てるならば、裁断しただけでもよい。
さらに、必要とされる機能性の内、保護、被覆といった衣類に近い効果を持たせる為には、吸汗性と通気性に優れたタオル地或いはそれに近い織物或いは不織布が好ましい。
また、寝たきり或いはそれに近い被介護者は、常時紙オムツの装着を余儀なくされている状況下では、加齢に加えて排泄物による匂いと体臭を伴う為に、その匂いを消臭する機能を持つ繊維を練り込んだ素材を用いるのが好ましい。この消臭機能を持つ繊維は、酸化チタン光触媒法やグラフト重合法を利用した繊維が好ましい。
【００１４】
以上のように、本発明の介護用多機能シーツの実施例は、長方形のシーツに、１乃至５の切れ目を入れるだけで、通常の長方形のシーツとして使用できることは勿論のこと、シーツとして被介護者の体位の変換、移動及び下着やオムツの交換を容易にし、又緊急非難時の被介護者をおんぶして単独で搬送することができ、更に夏場の装着が簡単な簡易タオルケットとして利用することができる。また、加工のシーツ地は、長方形の織地やタオルのような編地でよく、長方形のシーツ地に切り目をいれるだけなので、無駄な半端地がでず、且つ、加工も簡単である。
更に、寝たきりの被介護者の体臭、排便・排尿によるオムツ臭を消臭し、介護者の介護を容易にするとともに介護環境を衛生的に保持することができる。
【実施例２】
【００１５】
次に、別の実施例２について図５に沿って説明する。実施例２も、大凡、実施例１の構成・作用・素材と同じであるので、同じ構成の部分の説明は省略し、主に、実施例１の違いについて説明する。
実施例１と違いの第１点は、実施例１と同様に長方形約２３０cm×１３０cm程度のシーツに設けた切れ目1〜５構成によって形成された切片ａ〜ｇを設け、その切片ａ〜ｇ末端に上下方向の切れ目a1,d1,e1,g1を設けて、一対の細短冊状の結び片a'',a''',d'',d''',e'',e''',g'',g'''を設けたことである。
この一対の細短冊状の結び片a''〜g'''は、実施例１で述たように、切片a〜gの端をベッドの柵に結びつけることによって一定の体位を保持させるのであるが、実施例１の切片a〜gだけでは柵に縛り難いので、切れ目a1の間にベッドの柵を挿入し、一対の細短冊状の結び片a'',a'''を柵の周囲を回しての反対側で縛ればよい。更に、縛り固定しずらければ、それぞれの結び片a'',a''',d'',d''',e'',e''',g'',g'''の末端に結束用の紐ｊ１，ｊ２を縫いつけておいてもよく、或いは、一対の面ファスナーｋ１，ｋ２を縫いつけてもよい。このように構成することで、簡単に長方形のシーツの各角部をベッドの柵に固定することができる。
【００１６】
実施例１と違いの第２点は、 上側の両隅の切片ａ,dのシーツの中央側に、腕通し孔ａ2,ｄ2として１５cm程度の切れ目を設けたことである。 また、実施例１と違いの第３点は、 下側の両隅の切片ｅ,ｇのシーツの中央側に、足通し孔ｅ2,ｇ2として２０cm程度の切れ目を設けたことである。
実施例１の介護用多機能シーツの切片ａ〜ｇだけでは、腕や足をシーツに簡単に固定できない場合には、腕の場合には腕を腕通し孔ａ2,ｄ2に挿入するでけで簡単に固定でき、足の場合には足を足通し孔ｅ2,ｇ2に挿入するでけで、開脚状態で簡単に固定でき、手足を同時に各孔ａ2,ｄ2,ｅ2,ｇ2に挿入するだけで、手足を簡単に固定できる。
【００１７】
[シーツとしての使用例]
ここで、具体的に実施例２の介護用多機能シーツの布団やベッド等の寝具のシーツとして使用する場合を説明する。
実施例２は、単に切れ目１〜５、a1,d1,e1,g1、腕通し孔ａ2,ｄ2、足通し孔ｅ2,ｇ2を設けたシーツであるから、通常の長方形のシーツとして使用できることは勿論のこと、実施例１と同様に被介護者の上半身を浮かす事ができ、また、下半身を浮かしたり、開脚させることができ、各切片a',d',e',g'の端をベッドの柵に結びつけることによって一定の体位を保持させることができ、切片の端の長さを調節することによって、その保持の程度を調節できるのは実施例１と同じである。
さらに、実施例２では、手足を同時に各孔ａ2,ｄ2,ｅ2,ｇ2に挿入するだけで、手足を固定することにより、簡単に上半身を浮かす事ができ、簡単に下半身も開脚させることができる。この場合、上述したように、切れ目a1の間にベッドの柵やポールを挿入し、一対の細短冊状の結び片a'',a'''を柵の周囲を回して反対側で縛って固定する。更に、縛り固定しずらければ、図５の点線で示すように、それぞれの結び片a'',a'''の末端に縛り用の紐ｊ１，ｊ２を縫いつけておいて、結束用の紐ｊ１，ｊ２をベッドの柵やポールに縛りつけてもよい。勿論、結束用の紐ｊ１，ｊ２は必要に応じて、各結び片a'',a''',d'',d''',e'',e''',g'',g'''の末端に結束用の紐ｊ１，ｊ２・・Ｊ８を縫いつけておけば良い。
【００１８】
また、結束用の紐ｊ１，ｊ２に替えて、各結び片a'',a''',d'',d''',e'',e''',g'',g'''の末端に一対の面ファスナー(加圧式ファスナー)ｋ１，ｋ２・・ｋ８を縫い付けておいてもよく、面ファスナーを使用する場合は、硬い鈎のある面は身体に当たると痛いのでシーツの裏側に縫い付つければよい。このように構成することで、簡単に長方形のシーツの各角部をベッドの柵に固定することができる。
勿論、手足の固定方法の採否は、実施例１及び実施例２の使用方法を適宜選択して使用すればよい。
したがって、以上の切片ａ,ｄ,ｅ,ｇ、結び片a'',a''',d'',d''',e'',e''',g'',g'''、
各孔ａ2,ｄ2,ｅ2,ｇ2を利用して被介護者の体位変換を容易にし、褥瘡を予防することが可能となり、更には、切片ａ，ｄ，ｅ，ｇを布団或いはマット等の敷物の下に敷き込むことによってシート自体の体動による動きを緩め、固定を安定化させる作用も有する。
【００１９】
[搬送としての使用例]
実施例２の介護用多機能シーツを用いた被介護者の搬送は、実施例１の場合と同じ使用方法のほか、腕通し孔ａ2,ｄ2と足通し孔ｅ2,ｇ2が設けてあるので、腕を腕通し孔ａ2,ｄ2に挿入し、足を足通し孔ｅ2,ｇ2に挿入するでけで手足を簡単に固定でき、通常は介護ベッドのシーツとして用いることができるが、短冊状の切片ａ，ｄ，ｅ，ｇは左右上下を把手として用いて被介護者をおんぶして搬送することができる。
この場合、介護者の背中に被介護者を乗せたのち切片ａとｄ、或いは、結び片a'',a'''や結び片d'',d'''をそれぞれ束ね介護者の胸の位置で結び固定し、被介護者の下半身部を切片ｅとｇ、或いは、結び片e'',e'''と結び片g'',g'''をそれぞれ束ねて、介護者の腹部に回して両辺を結び固定することで、介護者が被介護者を背負って短時間に最小限の労力で移動や緊急避難が可能となる。
【００２０】
[衣類としての使用例]
次に、実施例２の介護用多機能シーツを簡易タオルケット等の介護用衣類として使用する場合は、基本的には実施例１と同じである。ただし、腕通し孔ａ2,ｄ2と足通し孔ｅ2,ｇ2が設けてあるので、腕を腕通し孔ａ2,ｄ2に挿入し、足を足通し孔ｅ2,ｇ2に挿入して、介護用衣類として使用してもよく、介護者の衣類（肌着）の着せ替えを極めて簡略化することが可能となり介護の手間が省けることは実施例１と同じである。
このように、実施例２の介護用多機能シーツは、実施例２の作用に加えて、手足の固定がより簡単となり、更に、結束用の紐や面ファスナーを用いれば、ベッドの柵等へのシーツの固定がより簡単となる。
【００２１】
[切片の固定]
実施例１及び実施例２の介護用多機能シーツは、切れ目１〜５(実施例１、実施例２)、ａ１,ｄ１,ｅ１,ｇ１(実施例２)が存在するために、各切片ａ〜ｇ(実施例１、実施例２)や、各結び片a'',a''',d'',d''',e'',e''',g'',g'''(実施例２)も末端部が、ひらひらして１枚のシーツとして、扱いづらいことがある。
このような場合には、図５に示すように、各切れ目１〜５、ａ１,ｄ１,ｅ１,ｇ１の末端部の両側に結び紐ｍ１,ｍ２〜ｍ１８  を設けて、切れ目が開かないように、両側に結び紐ｌ1〜ｌをそれぞれ結んでおけば、切れ目は閉じた状態で固定され、介護用多機能シーツは常に１枚の長方形のシーツを形成するので平面的となり、通常のシーツとして使用や保管する場合に使い勝手がよい。
なお、本発明の特徴を損なうものでなければ、上記の各実施例に限定されないことは勿論であり、例えば、結束用紐、結び紐、面ファスナーは、両辺を合わせ固定できるのであれば、他の留め手段を用いてもよいことは勿論である。
【図面の簡単な説明】
【００２２】
【図１】本発明の実施例１の介護用多機能シーツの切れ目を示す展開平面図である。
【図２】図１の介護用多機能シーツをシーツとしての使用する説明図である。
【図３】図１の介護用多機能シーツを被介護者をおんぶして搬送する状態を示す説明図である。
【図４】図１の介護用多機能シーツを簡易タオルケット等の介護用衣類として使用する説明図である。
【図５】本発明の実施例２の介護用多機能シーツの切れ目を示す展開平面図である。
【符号の説明】
【００２３】
１〜５、ａ１,ｄ１,ｅ１,ｇ１…切れ目、
ａ2,ｄ2…腕通し孔、ｅ2,ｇ2…足通し孔
ａ〜ｇ、ａ'〜ｇ'…切辺、a'',a''',d'',d''',e'',e''',g'',g'''…結び片
ｊ1,ｊ2、・・ｊ8…結束用紐、ｋ1,ｋ2・・k8…面ファスナー、
ｍ1,ｍ2・・ｍ18…切れ目結び紐
Ａ…上辺、Ｂ…底辺、Ｃ…左側辺、Ｄ…右側辺、
【図１】
2008017950.tif 000003
【図２】
2008017950.tif 000004
【図３】
2008017950.tif 000005
【図４】
2008017950.tif 000006
【図５】
2008017950.tif 000007